(57)【要約】【課題】スライド式携帯端末において、スライド操作を阻害することなく、２つの筐体を閉じたときに捩れ及びがたつきを生じにくくする。【解決手段】裏面側に一対の案内溝８を設けた第１の筐体３を、案内溝８内をスライドする一対のスライダ７を設けた第２の筐体５上にスライドさせる。スライド移動を補助する捩りコイルバネを設け、スライダ７の側面に、スライドの方向と垂直に突出する第１スライダ側突起７ａ及び第１スライダ側突起７ａよりも垂直方向への突出量が小さく且つスライド方向にスライド量よりも狭い距離を空けた第２スライダ側突起７ｂを設ける。案内溝８に第１の筐体３と第２の筐体５とを閉じたときに互いに当接するように、第１スライダ側突起７ａに対応させて第１案内溝側突起８ａを設け、第２スライダ側突起７ｂに対応させて第１案内溝側突起８ａよりも垂直方向への突出量が大きい第２案内溝側突起８ｂを設ける。【選択図】図９
2010068314.tif 000002
【特許請求の範囲】
【請求項１】
裏面側に一対の案内溝が設けられた第１の筐体を、該案内溝内をスライドする一対のスライダが設けられた第２の筐体上にスライドさせることにより、開閉自在に構成されたスライド式携帯端末であって、
上記スライド移動を補助する付勢部材を備え、
上記スライダの側面に、上記スライドの方向と垂直に突出する第１スライダ側突起及び該第１スライダ側突起よりも垂直方向への突出量が小さく且つスライド方向に上記第１の筐体のスライド量よりも短い距離を空けた第２スライダ側突起が設けられ、
上記案内溝に上記第１の筐体と第２の筐体とを閉じたときに互いに当接するように、上記第１スライダ側突起に対応させて第１案内溝側突起が設けられ、上記第２スライダ側突起に対応させて該第１案内溝側突起よりも上記垂直方向への突出量が大きい第２案内溝側突起が設けられている
ことを特徴とするスライド式携帯端末。
【請求項２】
請求項１に記載のスライド式携帯端末であって、
上記第１及び第２案内溝側突起並びに第１及び第２スライダ側突起は、左右対称位置に設けられている
ことを特徴とするスライド式携帯端末。
【請求項３】
請求項１又は２に記載のスライド式携帯端末であって、
上記付勢部材は、捩りコイルバネであり、一端が上記第１の筐体における上記一対の案内溝間に回転可能に支持され、他端が上記第２の筐体における上記一対のスライダ間に回転可能に支持されている
ことを特徴とするスライド式携帯端末。
【請求項４】
請求項１乃至３のいずれか１つに記載のスライド式携帯端末であって、
上記スライダは、上記垂直方向に変位可能な弾性材料で構成されている
ことを特徴とするスライド式携帯端末。
【発明の詳細な説明】
【技術分野】
【０００１】
本発明は、スライド式携帯端末に関し、特にその閉じたときの捩れ防止構造に関する。
【背景技術】
【０００２】
従来より、スライド式携帯端末の代表的な製品であるスライド式携帯電話機は、２つの筐体を備え、一方の筐体に案内溝が、他方の筐体にスライダが設けられ、このスライダが案内溝をスライドするようになっている。
【０００３】
例えば特許文献１では、携帯電話機の本体に結合される下部プレートを携帯電話機のカバー部に結合し、上部プレートを下部プレートに対して滑動させ、第１コイルバネの一端を第１固定ピンにより下部プレートに固定し、他端を第２固定ピンにより上部プレートに固定し、このコイルバネの付勢力により下部プレートに対して上部プレートを滑動させるようにしている。
【０００４】
このように、スライド式携帯電話機のスライドの原動力は、一般的に捩りコイルバネや圧縮コイルバネの弾性部材が利用されている。また、製品の厚みを薄くするため複数のバネを組み込んでいる場合もある。弾性部材によってスライド移動の補助が行われるスライド式携帯端末では、２つの筐体に対してスライド方向に完全に平行に付勢力を加えることは非常に困難である。このため、２つの筐体は、平行に開閉ができずにがたついたり、傾斜したりするという問題がある。
【０００５】
特許文献２のように、２つの筐体にスライド機構を介して、スライド可能に連結されたスライド型携帯電話機では、スライダと溝との間の間隙によって２つの筐体ががたつく問題があり、このような２つの筐体間のがたつきを防止するため、上筐体に設けられた溝を、上筐体の外面と内面が貫通するよう形成されてスライダがスライド可能に形成された第１の溝と、この第１の溝に沿って、上筐体１の長手方向に延在するがたつき防止用の突出部がスライド可能に嵌合する第２の溝とを含むように形成している。
【特許文献１】特開２００５−２８６９９４号公報
【特許文献２】特開２００６−９３９９９号公報
【発明の開示】
【発明が解決しようとする課題】
【０００６】
しかしながら、上記特許文献２は、左右方向のがたつきにおいて、スライダと溝との間隙については何ら考慮されていない。このため、特に第１の筐体と第２の筐体とを閉じたときに、弾性部材の力により、第１の筐体と第２の筐体との微妙なずれが目立って見映えが悪いという問題がある。
【０００７】
本発明は、かかる点に鑑みてなされたものであり、その目的とするところは、付勢部材でスライドの補助を行うスライド式携帯端末において、スライド操作を阻害することなく、２つの筐体を閉じたときに捩れ及びがたつきを生じにくくすることにある。
【課題を解決するための手段】
【０００８】
上記の目的を達成するために、この発明では、スライダと、このスライダが案内される案内溝とに、スライド方向に垂直な方向に突出する突起を設けた。
【０００９】
具体的には、第１の発明では、
裏面側に一対の案内溝が設けられた第１の筐体を、該案内溝内をスライドする一対のスライダが設けられた第２の筐体上にスライドさせることにより、開閉自在に構成されたスライド式携帯端末を対象とする。
【００１０】
そして、上記スライド式携帯端末は、
上記スライド移動を補助する付勢部材を備え、
上記スライダの側面に、上記スライドの方向と垂直に突出する第１スライダ側突起及び該第１スライダ側突起よりも垂直方向への突出量が小さく且つスライド方向に上記第１の筐体のスライド量よりも短い距離を空けた第２スライダ側突起が設けられ、
上記案内溝に上記第１の筐体と第２の筐体とを閉じたときに互いに当接するように、上記第１スライダ側突起に対応させて第１案内溝側突起が設けられ、上記第２スライダ側突起に対応させて該第１案内溝側突起よりも上記垂直方向への突出量が大きい第２案内溝側突起が設けられている。
【００１１】
上記の構成によると、第１の筐体と第２の筐体とを閉じたときには、第１の筐体側の第１案内溝側突起と第２の筐体側の第１スライダ側突起とが当接し、また、第１の筐体側の第２案内溝側突起と第２の筐体側の第２スライダ側突起とが当接するので、付勢部材により、スライド方向に対して傾斜した方向に力が働いても、第１の筐体と第２の筐体とが捩れず、ぐらつかない。このため、第１の筐体と第２の筐体とが綺麗に重なって見映えがよい。また、第１の筐体が第２の筐体に対してスライドする途中には、移動していく第１案内溝側突起が第２スライダ側突起とすれ違うが、第１案内溝側突起の突出量は、第２案内溝側突起の突出量よりも小さいので、閉じたときにこの第２案内溝側突起と当接していた第２スライダ側突起は、第１案内溝側突起に接触しない。このため、第１の筐体のスライド移動を阻害することはない。
【００１２】
第２の発明では、第１の発明において、
上記第１及び第２案内溝側突起並びに第１及び第２スライダ側突起は、左右対称位置に設けられている。
【００１３】
上記の構成によると、左右対象位置に設けることで、左右のバランスが良くなる。
【００１４】
第３の発明では、第１又は第２の発明において、
上記付勢部材は、捩りコイルバネであり、一端が上記第１の筐体における上記一対の案内溝間に回転可能に支持され、他端が上記第２の筐体における上記一対のスライダ間に回転可能に支持されている。
【００１５】
上記の構成によると、捩りコイルバネにより加えられる力はスライド方向とは完全に平行とはならないが、第１の筐体と第２の筐体とを閉じたときに第１及び第２案内溝側突起並びに第１及び第２スライダ側突起が互いに当接することで、第１の筐体と第２の筐体とが捩れず、ぐらつかない。
【００１６】
第４の発明では、第１乃至第３のいずれか１つの発明において、
上記スライダは、上記垂直方向に変位可能な弾性材料で構成されている。
【００１７】
上記の構成によると、第１の筐体と第２の筐体とを閉じたときには、スライダの弾性力により、第１の筐体が安定するので、がたつき及び捩れがさらに防止される。
【発明の効果】
【００１８】
以上説明したように、本発明によれば、第１の筐体と第２の筐体とを閉じたときに互いに当接する第１及び第２案内溝側突起並びに第１及び第２スライダ側突起をスライド途中で接触しないように第１の筐体の案内溝及び第２の筐体のスライダに設けたことにより、スライド操作を阻害することなく、２つの筐体を閉じたときに捩れ及びがたつきを防ぐことができる。
【発明を実施するための最良の形態】
【００１９】
以下、本発明の実施形態を図面に基づいて説明する。
【００２０】
−携帯電話機の構成−
図１〜図３は、本発明の実施形態のスライド式携帯端末としての携帯電話機１を示し、この携帯電話機１は、表面側に表示部２を備えた第１の筐体３が、表面側に操作部４を備えた第２の筐体５上をスライド機構６によってスライド可能に構成されている。このことで、携帯電話機１は、第１の筐体３を第２の筐体５上にスライドさせることにより、図１に示す操作部４が第１の筐体３の裏面側に隠れる閉じ状態と、図２に示す表示部２が現れる開き状態とに開閉自在に構成されている。
【００２１】
表示部２は、液晶ディスプレイを備えている。表示部２は、有機ＥＬディスプレイを備えていてもよく、また、タッチパネルにより構成してもよい。表示部２は、第１の筐体３のほぼ全体を占めているが、第１の筐体３の一部に操作キーを備えていてもよい。
【００２２】
図４に示すように、上記操作部４は、第２の筐体５の上下中央から下側に設けられ、中央から上側には、一対のレール状のスライダ７が表面から突出するように互いに平行に立設されている。スライダ７は、左右方向に変位可能な弾性材料、例えば、合成樹脂材料や金属材料で構成されている。例えば、スライダ７は、第２の筐体５と一体成形されている。
【００２３】
一方、図５に示すように、第１の筐体３裏面側には、上記スライダ７が嵌合し、このスライダ７が内部をスライド移動するのを案内する一対の案内溝８が互いに平行に凹陥されている。各案内溝８の上下端部には、ストッパ９が設けられ、スライダ７（第１の筐体３）の上下方向のスライド範囲Ｌ１（図３に示す）を規制している。
【００２４】
図６〜図１０に示すように、上記スライダ７が案内溝８内をスムーズにスライドするために、スライダ７の左右内側面と、案内溝８の左右内側壁面との間には、隙間Ｃが設定されている。なお、図４及び図５に示すように、携帯電話機１の厚さ方向のがたつきを防止するために、第１の筐体３の裏面側には、裏面上側突起１０ａ、裏面中間突起１０ｂ及び裏面下側突起１０ｃが設けられている。第１の筐体３を閉じたときに、裏面上側突起１０ａが当接する第２の筐体５の表面に表側上側当接部１１ａが設けられ、第１の筐体３を開いたときに裏面下側突起１０ｃが当接する第２の筐体５の表面に表側下側当接部１１ｂが設けられている。
【００２５】
また、携帯電話機１は、スライド移動を補助する付勢部材としての捩りコイルバネ１３を備えている。捩りコイルバネ１３は、一端１３ａが第１の筐体３における一対の案内溝８間の裏側バネ支持ピン１４に回転可能に支持され、他端１３ｂが第２の筐体５における一対のスライダ７間の表側バネ支持ピン１５に回転可能に支持されている。
【００２６】
そして、図９及び図１０に拡大して示すように、スライダ７の下端の左右外側面には、上下のスライド方向と垂直、すなわち左右外側へ突出する第１スライダ側突起７ａが形成されている。同様にスライダ７の上端の左右外側面にも、左右外側へ突出する第２スライダ側突起７ｂが形成されている。第１スライダ側突起７ａの左右外側への突出量Ａ１は、第２スライダ側突起７ｂの突出量Ａ２よりも大きく設定されている（Ａ１＞Ａ２）。第１スライダ側突起７ａと第２スライダ側突起７ｂとの上下方向の距離Ｌ２は、全体のスライド量Ｌ１よりも小さくなっている（Ｌ２＜Ｌ１）。
【００２７】
案内溝８の上下中間位置には、第１スライダ側突起７ａに対応させて左右内側へ突出する第１案内溝側突起８ａが設けられている。同様に第２スライダ側突起７ｂに対応させて案内溝８の上端には、第２案内溝側突起８ｂが設けられている。これら第１及び第２案内溝側突起８ａ，８ｂ並びに第１及び第２スライダ側突起７ａ，７ｂは、左右対称位置に設けられている。第２案内溝側突起８ｂの左右内側への突出量Ｂ２は、第１案内溝側突起８ａの突出量Ｂ１よりも大きくなっている（Ｂ２＞Ｂ１）。第１の筐体３と第２の筐体５とを閉じたときには、第１スライダ側突起７ａと第１案内溝側突起８ａとが当接し、第２スライダ側突起７ｂと第２案内溝側突起８ｂとが当接するようになっている。つまり、寸法関係としては、図９に示すように、Ａ１＋Ｂ１＝Ａ２＋Ｂ２となっている。
【００２８】
−携帯電話機の作用−
次いで、このようにスライダ７、案内溝８、捩りコイルバネ１３で構成されたスライド機構６による携帯電話機１の作動について説明する。
【００２９】
携帯電話機１の携帯時には、図１に示すように閉じた状態で携帯される。この閉じた状態のままでも携帯電話機１の各種機能を使用することができる。
【００３０】
図６及び図９に示すように、この第１の筐体３と第２の筐体５とが閉じられた状態では、捩りコイルバネ１３の作用により図６（ａ）に示す方向に付勢力が働いて第１の筐体３が表面から見て反時計回りに捩れようとする。しかし、第１の筐体３側の第１案内溝側突起８ａと第２の筐体５側の第１スライダ側突起７ａとが当接し、また、第１の筐体３側の第２案内溝側突起８ｂと第２の筐体５側の第２スライダ側突起７ｂとが当接するので、捩りコイルバネ１３により、スライド方向に対して傾斜した方向に力が働いても、第１の筐体３と第２の筐体５とがぐらつかない。
【００３１】
このため、第１の筐体３と第２の筐体５とがずれることなく綺麗に重なって見映えがよい。また、第１及び第２案内溝側突起８ａ，８ｂ並びに第１及び第２スライダ側突起７ａ，７ｂは、左右対称位置に設けられているので、左右のバランスが良くなっている。さらに、スライダ７の弾性力により、第１の筐体３が安定するので、がたつきが、さらに効果的に防止される。
【００３２】
次いで、携帯電話機１で通話等をするために操作部４を使用するときには、第１の筐体３を開く必要がある。図７及び図１０に示すように、第１の筐体３をスライドさせると、捩りコイルバネ１３の作用により、第１の筐体３のスライド移動が補助される。この第１の筐体３が第２の筐体５に対してスライドする途中には、上方へ移動していく第１案内溝側突起８ａが第２スライダ側突起７ｂとすれ違うが、第１案内溝側突起８ａの突出量Ａ１は、第２案内溝側突起８ｂの突出量Ａ２よりも小さいので、閉じたときに第２案内溝側突起８ｂと当接していた第２スライダ側突起７ｂは、第１案内溝側突起８ａに接触しない。このため、第１の筐体３のスライド移動を阻害することはない。なお、図７（ａ）に示すスライド中間点では、捩りコイルバネ１３の力はちょうど釣り合っているが、これを越えると、第１の筐体３を開く方向にスライドを補助し、その手前では第１の筐体３を閉じる方向にスライドを補助する。
【００３３】
第１の筐体３が捩りコイルバネ１３に補助されてスライド量Ｌ１だけスライドすると、スライダ７がストッパ９に当接して図８に示すようにスライド移動が完了する。このときには、捩りコイルバネ１３の作用により図８（ａ）に示す方向に付勢力が働いて第１の筐体３が表面から見て反時計回りに捩れようとする。すると、スライドを容易にするために設けた隙間Ｃのために、捩りコイルバネ１３の力を受けた第１の筐体３が第２の筐体５に対して多少傾斜するが、このときの捩れは、携帯電話機１を閉じたときの捩れのように目立たないので見映えの悪化は避けられる。
【００３４】
−実施形態の効果−
したがって、本実施形態にかかる携帯電話機１によると、第１の筐体３と第２の筐体５とを閉じたときに互いに当接する第１及び第２案内溝側突起８ａ，８ｂ並びに第１及び第２スライダ側突起７ａ，７ｂをスライド途中で接触しないように第１の筐体３の案内溝８及び第２の筐体５のスライダ７に設けたことにより、スライド操作を阻害することなく、２つの筐体３，５を閉じたときに捩れ及びがたつきを防ぐことができる。
【００３５】
（その他の実施形態）
本発明は、上記実施形態について、以下のような構成としてもよい。
【００３６】
すなわち、上記実施形態では、第１の筐体３に表示部２を設け、第２の筐体５に操作部４を設けたが、第１の筐体３に操作部４を設け、第２の筐体５に表示部２を設けてもよく、また、いずれの筐体３，５にタッチパネルを設けてもよい。
【００３７】
上記実施形態では、付勢部材を１つの捩りコイルバネで構成したが、２つ以上で構成してもよく、圧縮バネ等で構成してもよい。
【００３８】
上記実施形態では、スライド式携帯端末は、携帯電話機１としたが、ＰＨＳ、ＰＤＡ、ＰＣ、モバイルツール、電子辞書、電卓、ゲーム機等であってもよい。
【００３９】
なお、以上の実施形態は、本質的に好ましい例示であって、本発明、その適用物や用途の範囲を制限することを意図するものではない。
【図面の簡単な説明】
【００４０】
【図１】本発明の実施形態にかかる携帯電話機の閉じた状態を示す斜視図である。
【図２】携帯電話機の開いた状態を示す斜視図である。
【図３】携帯電話機の開いた状態を示す正面図である。
【図４】第２の筐体を正面側から見た斜視図である。
【図５】第１の筐体を背面側から見た斜視図である。
【図６】携帯電話機を閉じたときのスライド機構の動きを示す図であり、（ａ）が正面図で、（ｂ）が側面図である。
【図７】携帯電話機を開く途中のスライド機構の動きを示す図であり、（ａ）が正面図で、（ｂ）が側面図である。
【図８】携帯電話機を開いたときのスライド機構の動きを示す図であり、（ａ）が正面図で、（ｂ）が側面図である。
【図９】携帯電話機を閉じたときの第１及び第２案内溝側突起並びに第１及び第２スライダ側突起の位置関係を示す拡大正面図である。
【図１０】携帯電話機を開く途中の第１及び第２案内溝側突起並びに第１及び第２スライダ側突起の位置関係を示す拡大正面図である。
【符号の説明】
【００４１】
１      携帯電話機（スライド式携帯端末）
３      第１の筐体
５      第２の筐体
７      スライダ
７ａ    第１スライダ側突起
７ｂ    第２スライダ側突起
８      案内溝
８ａ    第１案内溝側突起
８ｂ    第２案内溝側突起
１３      捩りコイルバネ（弾性部材）
１３ａ    一端
１３ｂ    他端
【図１】
2010068314.tif 000003
【図２】
2010068314.tif 000004
【図３】
2010068314.tif 000005
【図４】
2010068314.tif 000006
【図５】
2010068314.tif 000007
【図６】
2010068314.tif 000008
【図７】
2010068314.tif 000009
【図８】
2010068314.tif 000010
【図９】
2010068314.tif 000011
【図１０】
2010068314.tif 000012